(57)【要約】【課題】ロウ付けタイプの切刃を備えたドリルヘッドとして、被削材に貫通孔を形成する際に孔内周面におけるスパイラルマークの発生を防止でき、優れた外観体裁と高い加工精度が得られるものを提供する。【解決手段】各々焼結硬質材料からなる切刃チップ３０Ａ〜３０Ｃのロウ付けによる外周側切刃３Ａと中間切刃３Ｂ及び中心側切刃３Ｃを備えたドリルヘッド１Ａの製造方法において、外周側切刃３Ａ用の切刃チップ３０Ａとして外縁側に削り代３２を設けたものを用い、切刃チップ３Ａをヘッド本体部１０の切刃取付座１３ａにロウ付けしたのち、切刃チップ３０Ａの外縁側を一段目の研磨加工によって直線状に研磨除去して外周側切刃３Ａの外側縁部３３を設定し、次いで二段目の研磨加工によって外周側切刃切刃３Ａの外端側をアール状に研磨除去してアールＲをなす刃先外端部３１ａを形成する。【選択図】図２
2011245619.tif 000002
【特許請求の範囲】
【請求項１】
各々焼結硬質材料からなる切刃チップのロウ付けによる外周側切刃と中間切刃及び中心側切刃を備えたドリルヘッドの製造方法において、
前記外周側切刃用の切刃チップとして外縁側に削り代を設けたものを用い、この切刃チップをヘッド本体部の切刃取付座にロウ付けしたのち、該切刃チップの外縁側を一段目の研磨加工によって直線状に研磨除去して外周側切刃の外周縁の位置を設定し、次いで二段目の研磨加工によって外周側切刃の外端側をアール状に研磨除去してアールをなす刃先外端部を形成することを特徴とするドリルヘッドの製造方法。
【請求項２】
前記の刃先外端部のアールを０．１〜０．５ｍｍ半径とする請求項１に記載のドリルヘッドの製造方法。
【請求項３】
内部が切粉排出路をなす円筒状のヘッド本体部の前端面に、該切粉排出路に連通する切粉排出口を設け、この切粉排出口に臨む略半径方向に沿う縁壁に、前記切刃チップをロウ付けすることを特徴とする請求項１又は２に記載のドリルヘッド。
【発明の詳細な説明】
【技術分野】
【０００１】
本発明は、焼結硬質材料からなるロウ付けタイプの切刃を備えたドリルヘッドの製造方法に関する。
【背景技術】
【０００２】
深穴切削に用いるドリルの先端に装着するドリルヘッドとして、当該ドリルヘッド自体に切刃を一体形成したもの、ヘッド本体に凹設した切刃取付座に切刃チップをロウ付けしたもの、ヘッド本体に凹設した切刃取付座にスローアウェイチップを着脱自在にねじ止めしたもの等があり、これらは被削材の材質、穿孔径、加工条件等によって使い分けられている。
【０００３】
図４（Ａ）（Ｂ）は、ロウ付けタイプの三つの切刃を備えた一般的な深穴切削用ドリルヘッド１Ｂを示す。このドリルヘッド１Ｂは、前端面１０ａに大小扇形に開口した切粉排出口１１，１２の略共通径方向の縁壁１１ａ，１２ａに沿って切刃３Ａ〜３Ｃを設けた略円筒形のヘッド本体部１０と、外周面のやや後部寄りの領域に雄ねじ２１を刻設した円筒状のねじシャンク部２０とで構成されている。その切刃３Ａ〜３Ｃは、一般的に、鋼製のヘッド本体部１０の前記縁壁１１ａ，１２ａに凹設した切刃取付座１３ａ〜１３ｃに、超硬合金やサーメット等の硬質材料製の切刃チップをロウ付けして形成されており、中間切刃３Ｂの切削領域が外周側切刃３Ａ及び中心側切刃３Ｃの切削領域に一部重なる状態で、共働して一枚の切削刃として機能する。図中、４はヘッド本体部１０の外周面の前部側２カ所に凹設した各パッド取付座１４にロウ付けされた硬質材料製のガイドパッド、１５は同外周面の後部側の径方向対向位置に形成された一対のチャッキング用溝部である。
【０００４】
しかして、切刃３Ａ〜３Ｃとする硬質材料製の切刃チップは、粉末冶金法による型成形・焼結で製作されるが、傾斜した直線状の刃先の内外両端部分が尖端状になると成形時の押圧で欠け易いことから、一般的にその両端部分がアール状に設定される。一方、ロウ付けタイプの切刃では、ロウ付け時のロウ材の介在によって刃先の位置精度を厳密に設定できないため、例えば前記三つの切刃３Ａ〜３Ｃを設ける場合、中間切刃３Ｂ及び中心側切刃３Ｃは刃先の内外両端部をアール状に設定した切刃チップを単に切刃取付座１３ｂ，１３ｃにロウ付けするだけでよいが、外縁位置によってドリルヘッドの切削径が定まる外周側切刃３Ａについては、その切刃チップとして予め外縁側に削り代を設けたものを製作し、その切刃チップを切刃取付座１３ａにロウ付けしたのち、その外縁側を研磨して所定の位置精度を確保するようにしている。その結果、外周側切刃３Ａは、有底の深穴切削において孔底の設定形状より各別な刃先形態が要求される場合を除き、図示のように傾斜した刃先３１の外端３１ａが角張った尖端状になっている。
【０００５】
このドリルヘッド１Ｂの使用に際しては、図４（Ｂ）に示すように、深穴切削用ドリルの丸パイプ状をなす工具シャンク（ボーリングバーとも称される）５の先端部に、ねじシャンク部２０を挿入して螺合連結することにより、該ドリルヘッド１Ｂの内側と工具シャンク５の中空内部が連通して切粉排出路１６を構成する。深穴切削加工は、図３（Ａ）に示すように、工具シャンク５を工作機械のスピンドル等に連結して回転駆動するか、逆に被削材Ｗ側を回転させることによって行うが、クーラントＣが外部供給方式となるため、図示の如く工具シャンク５を油密に包囲するクーラント供給ジャケット６を用い、このジャケット６をシールリング６１を介して被削材Ｗに押接した状態で、導入口６ａから該ジャケット６内にクーラントＣを高圧で導入する。しかして、導入されたクーラントＣは、工具シャンク５の外周面と切削穴Ｈの内周面との間隙Ｔよりドリルヘッド１Ｂの先端側へ供給され、切削部で発生する切粉Ｋと共にドリルヘッド１Ｂの切粉排出口１１，１２〔図４（Ａ）参照〕から切粉排出路１６内へ流入し、工具シャンク５の基部側から外部へ排出される。
【発明の概要】
【発明が解決しようとする課題】
【０００６】
しかるに、上述のようなロウ付けタイプの切刃を備えた従来のドリルヘッドによって被削材に貫通孔を形成した際、孔内周面に往々にしてスパイラルマーク（螺旋状模様）が現れることが知られている。そして、このスパイラルマークを生じた貫通孔は仕上げ外観として見栄えが悪い上、該スパイラルマークは微視的には孔内周面の凹凸に起因した模様であるため、加工精度面からも好ましくない。
【０００７】
そこで、本発明者らは、前記スパイラルマークの発生原因を究明すべく、数多くの加工データを分析すると共に、切削条件を種々変化させた実機試験を繰り返して様々な角度から検討を重ねた結果、穿孔中の振動等の何らかの要因で外周側切刃の尖った刃先外端部が被削材に食い付いて孔内周に僅かでも段差を生じると、その段差部分に刃先が引っ掛かることによる切削抵抗の変化で切削トルクの強弱リズムを生じ、この強弱リズムに起因してスパイラルマークが発生することが判明した。
【０００８】
本発明は、上述の事情に鑑み、ロウ付けタイプの切刃を備えたドリルヘッドとして、被削材に貫通孔を形成する際に、その孔内周面におけるスパイラルマークの発生を防止でき、もって優れた外観体裁と高い加工精度が得られるものを提供することを目的としている。
【課題を解決するための手段】
【０００９】
上記目的を達成するために、請求項１の発明は、図面の参照符号を付して示せば、各々焼結硬質材料からなる切刃チップ３０Ａ〜３０Ｃのロウ付けによる外周側切刃３Ａと中間切刃３Ｂ及び中心側切刃３Ｃを備えたドリルヘッド１Ａの製造方法において、外周側切刃３Ａ用の切刃チップ３０Ａとして外縁側に削り代３２を設けたものを用い、この切刃チップ３Ａをヘッド本体部１０の切刃取付座１３ａにロウ付けしたのち、該切刃チップ３０Ａの外縁側を一段目の研磨加工によって直線状に研磨除去して外周側切刃３Ａの外周縁（外側縁部３３）の位置を設定し、次いで二段目の研磨加工によって外周側切刃切刃３Ａの外端側をアール状に研磨除去してアールＲをなす刃先外端部３１ａを形成することを特徴としている。
【００１０】
請求項２の発明は、上記請求項１のドリルヘッドの製造方法において、刃先外端部３１ａのアールＲを０．１〜０．５ｍｍ半径ｒとすることを特徴としている。
【００１１】
請求項３の発明は、上記請求項１又は２のドリルヘッドの製造方法において、内部が切粉排出路１６をなす円筒状のヘッド本体部１０の前端面１０ａに、該切粉排出路１６に連通する切粉排出口１１，１２を設け、この切粉排出口１１，１２に臨む略半径方向に沿う縁壁１１ａ，１２ａに、切刃チップ３０Ａ〜３０Ｃをロウ付けすることを特徴としている。
【発明の効果】
【００１２】
請求項１の発明によれば、ロウ付けタイプの切刃を備えるドリルヘッドの製造において、外周側切刃３Ａ用の切刃チップ３０Ａとして外縁側に削り代３２を設けたものを用い、この切刃チップ３Ａをヘッド本体部１０の切刃取付座１３ａにロウ付けしたのち、該切刃チップ３０Ａの外縁側を一段目の研磨加工によって直線状に研磨除去して外周側切刃３Ａの外周縁（外側縁部３３）の位置を設定するから、ロウ付け時のロウ材の介在による刃先外縁側の位置精度不良を修正し、正確な内径で穿孔することが可能になる上、二段目の研磨加工によって外周側切刃３Ａの刃先外端部３１ａをアールＲにすることから、穿孔中に外周側切刃３Ａの刃先外端部による被削材Ｗへの食い付きを生じにくくなり、その食い付きに起因した切削トルクの強弱リズムによる孔内周面のスパイラルマークの生成を防止でき、もって外観体裁に優れて且つ高精度の貫通孔を形成できる。
【００１３】
請求項２の発明によれば、上記の外周側切刃３Ａの刃先外端部３１ａを特定半径のアールにすることから、スパイラルマークの生成をより確実に防止できる。
【００１４】
請求項３の発明によれば、製造されるドリルヘッド１Ａは、切削部位で生じる切粉ＫをクーラントＣと共に前端面１０ａの切粉排出口１１，１２から内部の切粉排出路１６を通して排出できる構造となるから、高い切削効率が得られる。
【図面の簡単な説明】
【００１５】
【図１】本発明の製造方法によって得られるドリルヘッドの一例を示し、（Ａ）は平面図、（Ｂ）は正面図、（Ｃ）は（Ｂ）の仮想線円Ｃ内の拡大図である。
【図２】同ドリルヘッドのヘッド本体部に対する切刃チップの取り付けを示し、（Ａ）は切刃チップの取付前の正面図、（Ｂ）は同取付後の正面図である。
【図３】ドリルヘッドによる貫通孔の形成状況を例示し、（Ａ）は被削材のムク部分に対する貫通孔の形成操作を示す縦断側面図、（Ｂ）は被削材の先導孔に沿う切削拡径による貫通孔の形成操作を示す縦断側面図である。
【図４】従来のロウ付けタイプのドリルヘッドの一例を示し、（Ａ）は平面図、（Ｂ）は正面図である。
【発明を実施するための形態】
【００１６】
以下、本発明の一実施形態について、図面を参照して具体的に説明する。図１（Ａ）〜（Ｃ）は本発明の製造方法にて得られるドリルヘッド１Ａを示す。このドリルヘッド１Ａは既述した従来のドリルヘッド１Ｂ（図４参照）と同様にロウ付けタイプの三つの切刃を備えるが、両者を対比して理解し易いように、既述の切削用ドリルヘッド１Ｂと共通又は対応する各構成部分については同一符号を付している。
【００１７】
このドリルヘッド１Ａは、前端面１０ａに大小扇形に開口した切粉排出口１１，１２を備えた円筒形のヘッド本体部１０と、外周面のやや後部寄りの領域に雄ねじ２１を刻設した円筒状のねじシャンク部２０とが同軸状に一体化され、ヘッド本体部１０の両切粉排出口１１，１２における略共通径方向の縁壁１１ａ，１２ａに沿って、外周側及び中間と中心側の三つの切刃３Ａ〜３Ｃがロウ付けされているが、図１（Ｃ）で拡大して示すように、その外周側切刃３Ａの傾斜した刃先３１の外端部３１ａがアールＲをなす点で既述のドリルヘッド１Ｂとは異なっている。また、外周面側切刃３Ａの直線状の外側縁部３３は、後述する切刃チップ３０Ａのロウ付け後に、その外縁側を研磨加工することによって形成されている。
【００１８】
なお、ヘッド本体部１０の外周面には、前部側２カ所に凹設した各パッド取付座１４に硬質材料製のガイドパッド４がロウ付けされ、同後部側に径方向に対向した一対のチャッキング用溝部１５，１５が形成されている。また、該ドリルヘッド１Ａの中空内部は、切粉排出路１６として、前端側で両切粉排出口１１，１２に連通すると共に、後端側に開放している
【００１９】
このドリルヘッド１Ａにおける三つの切刃３Ａ〜３Ｃは、図２（Ａ）に示すように、鋼製のヘッド本体部１０の前記縁壁１１ａ，１２ａに凹設した切刃取付座１３ａ〜１３ｃに、超硬合金やサーメット等の硬質材料製の切刃チップ３０Ａ〜３０Ｃをロウ付けしたものであるが、ロウ付け時のロウ材の介在によって刃先の位置精度を厳密に設定できないため、外周側切刃３Ａについては切刃チップ３０Ａのロウ付け後に外縁側を研磨加工する。すなわち、これら三つの切刃３Ａ〜３Ｃは切削領域が一部重なる状態で共働して一枚の切削刃として機能するため、中間切刃３Ｂ及び中心側切刃３Ｃの両端縁と外周側切刃３Ａの内端縁には多少の位置変動が許容されるのに対し、外周側切刃３Ａの外端縁はその位置によって切削径が定まるので厳密な位置精度を要する。従って、外周側切刃３Ａとする切刃チップ３０Ａは、外縁側に削り代を残す形で製作し、ヘッド本体部１０へのロウ付け後に外縁側を研磨加工して位置精度を確保することになる。
【００２０】
一方、硬質材料製の切刃チップ３０Ａ〜３０Ｃは、粉末冶金法による型成形・焼結で製作するから、既述のように、成形時の押圧による欠けを防止するために傾斜した直線状の刃先の両端部をアール状に設定する。しかして、切刃チップ３０Ｂ，３０Ｃのアール状の刃先両端部はそのまま中間切刃３Ｂ及び中心側切刃３Ｃの刃先両端部になるが、周辺側切刃３とする切刃チップ３０Ａにおける刃先３１のアール状の外端部３１ｃは前記したロウ付け後の外縁側の研磨加工による除去部分となる。このため、その切刃チップ３０Ａとして予め外縁側に削り代を設けたものを製作し、これを切刃取付座１３ａにロウ付けしたのち、図２（Ｂ）で示すように、１段目の研磨加工としてその外縁側を例えば仮想線Ｓ１まで直線状に研磨除去して所定の位置精度を確保し、更に２段目の研磨加工として該切刃３１の外端側を例えば仮想線Ｓ２までアール状に研磨除去し、もって図１（Ｂ）（Ｃ）で示すアールＲをなす外端部３１ａとする。この２段階の研磨による除去部分が切刃チップ３０Ａの削り代３２である。
【００２１】
かくして得られたドリルヘッド１Ａを用いて金属材料からなる被削材に貫通孔を形成するには、図３（Ａ）に示すように、深穴切削用ドリルの丸パイプ状をなす工具シャンク５の先端部に、該ドリルヘッド１Ａのねじシャンク部２０を挿入して螺合連結した上で、該工具シャンク５を工作機械のスピンドル等に連結して回転駆動するか、逆に被削材Ｗ側を回転させて切削する。そして、この切削加工中、クーラントＣを既述した外部供給方式によって切削部位へ連続供給し、切削部で発生する切粉Ｋと共にドリルヘッド１Ａの切粉排出口１１，１２〔図１（Ａ）参照〕から切粉排出路１６内へ流入させ、工具シャンク５の中空内部を通して該工具シャンク５の基部側から外部へ排出することにより、高い切削効率が得られる。
【００２２】
このようなドリルヘッド１Ａによれば、切削径を定める外周側切刃３Ａの刃先外端部３１ａがアールＲなすから、穿孔中に刃先外端部３１ａによる被削材Ｗへの食い付きを生じにくく、その食い付きに伴う段差に起因した切削トルクの強弱リズムが発生せず、もって孔内周面のスパイラルマークの生成が防止されるため、形成される貫通孔Ｈは外観体裁に優れて且つ高い寸法精度を有するものとなる。
【００２３】
なお、図３（Ａ）では被削材Ｗのムクの部分に貫通孔Ｈを穿孔する状況を例示しているが、本発明にて得られるドリルヘッド１Ａは、図３（Ｂ）で例示するように、被削材Ｗに予め設けた先導孔Ｈ０に沿い、その周面を切削して拡径する形で貫通孔Ｈ１を形成する場合にも適用できる。ところで、スパイラルマークは図４で例示したドリルヘッド１Ｂのような従来のロウ付けタイプのドリルヘッドによる有底の深穴切削でも生じる可能性はあるが、有底の深穴では内部が暗くて視認しにくく、スパイラルマーク等による内周面の外観不良が問題になりにくいことに加え、有底孔では用途的に寸法精度の厳密さを要求されない場合が多い。
【００２４】
本発明方法の製造対象とするドリルヘッドは、例示した三つの切刃３Ａ〜３Ｃを有するものに限らず、２つ以上の中間切刃を有するものでもよく、いずれの場合でも外周側切刃用の切刃チップとして外縁側に削り代を設けたものを用い、そのロウ付け後に既述の２段階の研磨加工を行って直線状の外側縁部とアール状の刃先外端部を形成すればよい。しかして、このような刃先外端部のアールＲとしては、前記のスパイラルマークの生成を確実に防止する上で、そのアール半径ｒを０．１〜０．５ｍｍの範囲に設定することが推奨される。
【００２５】
また、実施形態で得られたドリルヘッド１Ａはシングルチューブ方式用つまり外部から切削穴Ｈと工具シャンク５との間隙Ｔを通して切削部位へ供給されるクーラントＣを切粉Ｋと共に内部の切粉排出路１６を通して排出する方式用のものであるが、本発明方法ではロウ付けタイプの切刃を備えたダブルチューブ方式用のドリルヘッドも製造対象とできる。このダブルチューブ方式では、ドリルの工具シャンクが中心空間を切屑排出路、外側の環状空間をクーラント供給路とする二重筒をなし、その外筒の先端部にドリルヘッドを螺合連結することにより、内筒先端がドリルヘッドの内周段部に当接し、もってクーラント供給路の先端側が閉塞するが、ドリルヘッドの周壁部に設けた導出孔からクーラントを外側へ導出して切削部位へ供給するようになっている。従って、このダブルチューブ方式用のドリルヘッドは、既述したシングルチューブ方式用に対し、前記の内周段部と導出孔を有することを除いて基本的構造は略同様である。
【符号の説明】
【００２６】
１Ａ            ドリルヘッド
１０ａ          前端面
１１，１２      切粉排出口
１１ａ，１２ａ  側壁部
１３ａ〜１３ｃ  切刃取付座
３Ａ            外周側切刃
３Ｂ            中間切刃
３Ｃ            中心側切刃
３０            切刃チップ
３１            刃先
３１ａ          刃先外端部
３２            削り代
３３            外側縁部
Ｒ              アール
ｒ              アール半径
【図１】
2011245619.tif 000003
【図２】
2011245619.tif 000004
【図３】
2011245619.tif 000005
【図４】
2011245619.tif 000006